(57)【要約】【課題】  本発明は、透明タッチパネルを垂直状に立設した状態でも、電子機器側の表示部に表示された画像を観察しながら座標入力が可能な座標入力装置およびこれを用いた電子機器を提供すること。【解決手段】  本発明の座標入力装置１は、回動操作可能で所望の座標入力が可能な透明タッチパネル２と、この透明タッチパネル２を支持して透明タッチパネル２と共に回動可能なパネル支持部材４と、このパネル支持部材４を回動可能に支持する支持基材６とを備え、透明タッチパネル２の外周部の一部には、パネル支持部材４に回転可能に支持可能な回転軸２ｃが取り付けられ、透明タッチパネル２は、パネル支持部材４を介して回動可能に支持基材６に支持されると共に、回転軸２ｃを介して回転可能にパネル支持部材４に支持されている。【選択図】        図１
2006293626.tif 000002
【特許請求の範囲】
【請求項１】
回動操作可能で所望の座標入力が可能な透明タッチパネルと、この透明タッチパネルを支持して前記透明タッチパネルと共に回動可能なパネル支持部材と、このパネル支持部材を回動可能に支持する支持基材とを備え、前記透明タッチパネルの外周部の一部には、前記パネル支持部材に回転可能に支持可能な回転軸が取り付けられ、前記透明タッチパネルは、前記パネル支持部材を介して回動可能に前記支持基材に支持されると共に、前記回転軸を介して回転可能に前記パネル支持部材に支持されていることを特徴とする座標入力装置。
【請求項２】
前記パネル支持部材は、横長状の両端部が前記支持基材に支持され、前記パネル支持部材および前記支持基材には、前記クリック感を発生させるためのクリック感発生機構が形成されていることを特徴とする請求項１記載の座標入力装置。
【請求項３】
前記支持基材には、前記透明タッチパネル側の配線に電気的に接続可能な接続プラグを嵌合させて挿通可能な貫通孔が形成されていることを特徴とする請求項１、または２記載の座標入力装置。
【請求項４】
所望の画像または文字等を表示可能な表示部を支持した筐体と、この筐体の取り付けられて回動操作することにより前記表示部上を開閉可能な所望の座標入力が可能な透明タッチパネルを有する座標入力装置と、この座標入力装置を前記筐体に支持した状態で前記透明タッチパネルと共に回動可能なパネル支持部材と、このパネル支持部材を回動可能に支持する支持基材とを備え、前記透明タッチパネルの外周部の一部には、前記パネル支持部材に回転可能に支持可能な回転軸が形成され、前記透明タッチパネルは、前記パネル支持部材を介して回動可能に前記支持基材に支持されると共に、前記回転軸を介して回転可能に前記パネル支持部材に支持されて、前記表示部上を開閉可能になっていることを特徴とする電子機器
【請求項５】
前記透明タッチパネルは、前記表示部上を覆った時に、上面側が座標入力可能な座標入力面となり、前記透明タッチパネルは、前記表示部に対して略垂直状に立設させて、前記回転軸を支点として回転させると、前記座標入力面が手前側となって座標入力可能となることを特徴とする請求項４記載の電子機器。
【請求項６】
前記座標入力装置を取り付けた前記筐体の側面には、前記タッチパネル側の配線に電気的に接続可能な接続プラグの雄部が嵌合可能な雌側が形成され、前記支持基材には、前記接続プラグの前記雄部を嵌合させて挿通可能な貫通孔が形成され、前記接続プラグの前記雄部を、前記貫通孔に挿通嵌合させて前記雌部に嵌合させることで、前記座標入力装置が取り付け可能になっていることを特徴とする請求項４、または５記載の座標入力装置。
【発明の詳細な説明】
【技術分野】
【０００１】
本発明は、座標入力装置およびこれを用いた電子機器に係わり、Ｘ−Ｙ方向の座標入力が可能な座標入力装置を表示部を有する電子機器に取り付けた座標入力装置およびこれを用いた電子機器。
【背景技術】
【０００２】
従来の座標入力装置を、特許文献１に基づいて説明すると、従来の座標入力装置２０は、例えばゲーム機等の電子機器（図示せず）の液晶等からなる表示部上に配設されている。
前記座標入力装置２０は、主パネル部２１と、この主パネル部２１を電子機器側に一体的に係合可能な取付ベース部２２とが形成されている。
前記主パネル部２１は、例えば携帯型のゲーム機等の電子機器側の画面等を表示可能な表示部上に位置する、例えば静電容量式の透明タッチパネル２３が形成されている。
【０００３】
この透明タッチパネル２３は、一方の面である表面側が座標入力面２３ａとなり、この座標入力面２３ａを後述するペン２７で操作することで、所望の座標入力が可能になっている。
前記透明タッチパネル２３の周辺には、額縁状領域２４が形成され、この額縁状領域２４には、透明タッチパネル２３をタッチしたことを検出する回路系の配線が施されている。
【０００４】
また、取付ベース２２には、２個の突起２５が形成され、この２個の突起２５を電子機器側に係合させることで、座標入力装置２０が電子機器に対して正しく位置決めされると共に、座標入力装置２０が電子機器に保持されるようになっている。更に、取付ベース２２には、プラグ２６が形成され、このプラグ２６を電子機器側に挿入嵌合することで、座標入力装置２０を電子機器に位置決め保持去れると共に、取付ベース２２内部に配線が後述する中継ポート２９を介してデン式域が和の通信ポート（図示せず）に電気的に接続するようになっている。
【０００５】
また、取付ベース２２近傍の額縁状領域２４には、プラスチック製のペン２７がペン装着部２８に着脱可能になっている。また、取付ベース２２の突起２５が形成された側には、電子機器側の通信ポート（図示せず）に準した規格の中継ポート２９が形成され、この中継ポート２９が取付ベース２２内部の配線を通じてプラグ２６に接続されている。
【０００６】
このような従来の座標入力装置２０は、取付ベース２２を電子機器に取り付けて電気的に接続することで、透明タッチパネル２３の座標入力面２３ａをペン２７により操作することで所望の座標入力ができるようになっている。
また、主パネル部２１を垂直状に立設させて、主パネル２１の透明タッチ領域２３を介さずに、直接ゲーム機等の電子機器側の表示部を観察することも可能である。  
【特許文献１】特開２００３−１０３０５１号公報
【発明の開示】
【発明が解決しようとする課題】
【０００７】
しかし、従来の座標入力装置２０は、主パネル部２１を垂直状に立設させて、電子機器側の表示部を直接観察するときに、ペン１７の操作で入力可能な座標入力面２３ａが操作者に対して裏面側に位置するために、主パネル部２１を垂直状に立設させた状態で、電子機器側の表示部に表示される画像を見ながら座標入力できない問題があった。
本発明は前述したような課題を解決し、透明タッチパネルを垂直状に立設した状態でも、電子機器側の表示部に表示された画像を観察しながら座標入力が可能な座標入力装置およびこれを用いた電子機器を提供することを目的とする。
【課題を解決するための手段】
【０００８】
前記課題を解決するための第１の手段として本発明の座標入力装置は、回動操作可能で所望の座標入力が可能な透明タッチパネルと、この透明タッチパネルを支持して前記透明タッチパネルと共に回動可能なパネル支持部材と、このパネル支持部材を回動可能に支持する支持基材とを備え、前記透明タッチパネルの外周部の一部には、前記パネル支持部材に回転可能に支持可能な回転軸が取り付けられ、前記透明タッチパネルは、前記パネル支持部材を介して回動可能に前記支持基材に支持されると共に、前記回転軸を介して回転可能に前記パネル支持部材に支持されていることを特徴とする。
また、前記課題を解決するための第２の手段として、前記パネル支持部材は、横長状の両端部が前記支持基材に支持され、前記パネル支持部材および前記支持基材には、前記クリック感を発生させるためのクリック感発生機構が形成されていることを特徴とする。
【０００９】
また、前記課題を解決するための第３の手段として、前記支持基材には、前記透明タッチパネル側の配線に電気的に接続可能な接続プラグを嵌合させて挿通可能な貫通孔が形成されていることを特徴とする。
また、前記課題を解決するための第４の手段として、本発明の電子機器は、所望の画像または文字等を表示可能な表示部を支持した筐体と、この筐体の取り付けられて回動操作することにより前記表示部上を開閉可能な所望の座標入力が可能な透明タッチパネルを有する座標入力装置と、この座標入力装置を前記筐体に支持した状態で前記透明タッチパネルと共に回動可能なパネル支持部材と、このパネル支持部材を回動可能に支持する支持基材とを備え、前記透明タッチパネルの外周部の一部には、前記パネル支持部材に回転可能に支持可能な回転軸が形成され、前記透明タッチパネルは、前記パネル支持部材を介して回動可能に前記支持基材に支持されると共に、前記回転軸を介して回転可能に前記パネル支持部材に支持されて、前記表示部上を開閉可能になっていることを特徴とする。
【００１０】
また、前記課題を解決するための第５の手段として、前記透明タッチパネルは、前記表示部上を覆った時に、上面側が座標入力可能な座標入力面となり、前記透明タッチパネルは、前記表示部に対して略垂直状に立設させて、前記回転軸を支点として回転させると、前記座標入力面が手前側となって座標入力可能となることを特徴とする。
また、前記課題を解決するための第６の手段として、前記座標入力装置を取り付けた前記筐体の側面には、前記タッチパネル側の配線に電気的に接続可能な接続プラグの雄部が嵌合可能な雌側が形成され、前記支持基材には、前記接続プラグの前記雄部を嵌合させて挿通可能な貫通孔が形成され、前記接続プラグの前記雄部を、前記貫通孔に挿通嵌合させて前記雌部に嵌合させることで、前記座標入力装置が取り付け可能になっていることを特徴とする。
【発明の効果】
【００１１】
本発明の座標入力装置の透明タッチパネルの外周部の一部には、パネル支持部材に回転可能に支持可能な回転軸が取り付けられ、透明タッチパネルは、パネル支持部材を介して回動可能に支持基材に支持されると共に、回転軸を介して回転可能にパネル支持部材に支持されているので、透明タッチパネルを立設させて回転することで、電子機器側の操作面から透明タッチパネルを開いた状態で、電子機器側の表示部を観察しながら座標入力ができ、操作性に優れている。
また、パネル支持部材は、横長状の両端部が支持基材に支持され、パネル支持部材および支持基材にクリック感を発生させるためのクリック感発生機構が形成されているので、透明タッチパネルが所定角度回動する毎にクリック感が発生して、回動角度を確認でき操作性に優れている。
また、支持基材には、タッチパネル側の配線に電気的に接続可能な接続プラグを嵌合させて挿通可能な貫通孔が形成されているので、接続プラグを貫通させて電子機器側に確実に接続することができる。
【００１２】
また、本発明の電子機器は、透明タッチパネルの外周部の一部には、パネル支持部材に回転可能に支持可能な回転軸が形成され、透明タッチパネルは、パネル支持部材を介して回動可能に支持基材に支持されると共に、回転軸を介して回転可能にパネル支持部材に支持されて、表示部上を開閉可能になっているので、透明タッチパネルが回動可能で回転可能になっており、操作性に優れている。
また、透明タッチパネルは、表示部上を覆った時に、上面側が座標入力可能な座標入力面となり、透明タッチパネルは、表示部に対して略垂直状に立設させて、回転軸を支点として回転させると、座標入力面が手前側となって座標入力可能となるので、透明タッチパネルを立設した状態で回転させることで座標入力ができ、操作性に優れている。
また、座標入力装置を取り付けた筐体の側面には、タッチパネル側の配線に電気的に接続可能な接続プラグの雄部が嵌合可能な雌側が形成され、支持基材には、接続プラグの雄部を嵌合させて挿通可能な貫通孔が形成され、接続プラグの雄部を、貫通孔に挿通嵌合させて雌部に嵌合させることで、座標入力装置が取り付け可能になっているので、接続プラグの押す側を雌側に嵌合させるだけで座標入力装置を電子機器に取り付けることができる。
【発明を実施するための最良の形態】
【００１３】
以下、本発明の座標入力装置の一実施の形態を図面に基づいて説明する。図１は本発明の座標入力装置の斜視図であり、図２は本発明に係わる透明タッチパネルを立設した斜視図であり、図３は本発明に係わる透明タッチパネルの回転操作を説明する斜視図であり、図４は本発明に係わる透明タッチパネルを反対側に倒した斜視図であり、図５は本発明の座標入力装置の分解斜視図である。
【００１４】
本発明の座標入力装置１の実施の形態を図面に基づいて説明すると、座標入力装置１は、図５の分解斜視図に示すように、図示奥側にタブレットあるいは静電容量式の透明タッチパネル２が配設されている。
前記透明タッチパネル２は、図示奥側の一方の面が座標入力面２ａとなって、ペンあるいは指等で所望の座標入力が可能になっている。
また、透明タッチパネル２の外周部の一部である図示下方の一辺２ｂには、回転軸２ｃが取り付けられている。
【００１５】
また、透明タッチパネル２は、枠体３に支持されて、反り等が発生しないように補強されている。前記透明タッチパネル２は、回転軸２ｃがパネル支持部材４に支持されて、回転軸２ｃを支点とし矢印Ａ、Ｂ方向に回転可能になっている。
前記パネル支持部材４は、内部が空洞状の第１、第２回動部材４ａ、４ｂが略半円形状で横長状に形成され、第１回動部材４ａの長手方向の両端部には、連結軸４ｂ、４ｂを介して楕円状のバネ支持部４ｄ、４ｄが形成されている。
【００１６】
また、楕円状のバネ支持部４ｄ、４ｄには、それぞれ所定深さの２個のバネ収納孔４ｅ、４ｅが形成され、この２個のバネ収納孔４ｅ、４ｅには、それぞれコイルバネ（図示せず）とボール（図示せず）とが収納され、コイルバネによってボールがバネ収納孔４ｅから外側に押し出されるように弾性付勢されている。
また、半円状の第１、第２回動部材４ａ、４ｂは、互いの開放部分を合体させて、円筒状に組み立てられている。
【００１７】
また、楕円状のバネ支持部４ｄ、４ｄと対向する側には、略三角状のボール当接板５、５が配設され、このボール当接板５、５には、略中央の支持孔５ａの四方に９０°間隔で４個のボール当接孔５ｂが形成されている。
そして、ボール当接部５ｂにバネ収納孔４ｅに収納したコイルバネで外向きに弾性付勢されたボールが係脱することで、回動操作する透明タッチパネル２にクリック感が生じるようになっている。
即ち、パネル支持部材４および支持機材６には、クリック感を発生させるためのクリック感発生機構が形成されている。
前記円筒状に組み立てられたパネル支持部材４には、長手方向の略中央部に透明タッチパネル２の回転軸２ｃを回転自在に支持可能な支持部（図示せず）が形成されている。
【００１８】
また、パネル支持部材４は、支持基材６に回動可能に支持されている。前記支持基材６は、第１、第２支持部材７、８の２つに分割可能になっており、第１支持部材７には、パネル支持部材４が位置可能な凹部７ａ形成されていると共に、第１回動部材４ａの連結軸４ｃを支持可能な軸受け部７ｂが形成されている。
また、第１支持部材７の壁面には、透明タッチパネル２側の配線に電気的に接続可能なＵＳＢケーブル等の接続プラグ（図示せず）を嵌合させて挿通可能な貫通孔７ｃが形成されている。
【００１９】
また、第２支持部材８にも、パネル支持部材４が位置可能な凹部８ａ形成されていると共に、第１回動部材４ａの連結軸４ｃを支持可能な軸受け部８ｂが形成されている。
また、第２支持部材８にも、ＵＳＢケーブル等の接続プラグを嵌合させて挿通可能な貫通孔（図示せず）が形成されている。
そして、第２支持部材８の所定位置にボール受け板５、５を位置決めすると共に、それぞれのバネ収納孔４ｅに、コイルバネとボールを収納して、第１、第２回動部材４ａ、４ｂを組み付けたパネル支持部材４の連結軸４ｃを嵌合させて、
第１、第２支持部材７、８を組み合わせる。
すると、支持基材６にパネル支持部材４を介して支持された透明タッチパネル２は、パネル支持部材４と共に矢印Ｃ、Ｄ方向に回動可能となる。
【００２０】
また、透明タッチパネル２を図２に示すように、パネル支持部材４と共に矢印方向Ｃ方向に回動させると、バネ収納孔４ｅに収納してコイルバネで外側に弾性付勢されているボールが、ボール受け板５のボール当接孔５ｂに係合して、クリック感が生じると共に、透明タッチパネル２が略水平状態となって、上面が座標入力面２ａとなるようになっている。
【００２１】
また、透明タッチパネル２を図２に示すように略垂直状に立設した状態では、座標入力面２ａが裏面となって、座標入力することができないが、透明タッチパネル２を図３に示すように、矢印Ａ方向、または矢印Ｂ方向に回転させることで、座標入力面２ａが操作者と対向する側となり、図４に示すように、矢印Ｄ方向に略９０°倒すことで、座標入力面２ａに指、あるいはペン等で所望の座標入力を行うことができるようになっている。
【００２２】
また、本発明の座標入力装置１を用いた電子機器は、図示を省略するが、携帯型のゲーム等からなり、所望の画像または文字等を表示可能な液晶等からなる表示部と、回動操作することにより表示部上を開閉可能な所望の座標入力が可能な座標入力装置である透明タッチパネル２と、この透明タッチパネル２を支持した状態で透明タッチパネル２と共に回動可能なパネル支持部材４と、このパネル支持部材４を回動可能に支持する支持基材６とが配設されている。
【００２３】
そして、透明タッチパネル２の外周部の一部には、パネル支持部材４に回転可能に支持可能な回転軸２ｃが形成され、透明タッチパネル２は、パネル支持部材４を介して回動可能に支持基材６に支持されると共に、回転軸２ｃを介して回転可能にパネル支持部材４に支持されて、表示部上を開閉可能になっている。
前記ゲーム機等からなる電子機器の端面に、座標入力装置１の支持基材６の第１支持部材７側を密着させて、貫通孔７ｃにＵＳＢケーブル等の接続プラグを嵌合させて、電子機器側の通信ポートに嵌合させると、座標入力装置１が電子機器に取付られると共に、透明タッチパネルの配線等が電子機器に電気的に接続可能になっている
【００２４】
また、透明タッチパネル２の外周部の一部には、パネル支持部材４に回転可能に支持可能な回転軸２ｃが形成され、透明タッチパネル２は、パネル支持部材４を介して回動可能に支持基材６に支持されると共に、回転軸２ｃを介して回転可能にパネル支持部材４に支持されて、電子機器の表示部上を開閉可能になっている。前記透明タッチパネル２を矢印Ｃ方向に回動させると、透明タッチパネル２が電子機器の液晶等からなる表示部上を覆って、座標入力部２ａが上面となる。  そして、液晶等からなる表示部に表示される画像等を見ながら所望の座標入力できるようになっている。
【００２５】
また、座標入力装置１を取り付けた電子機器は、携帯可能なゲーム機等の場合だと、電子機器を手に把持した状態で、表示部上から透明タッチパネル２を介して座標入力できる。
また、透明タッチパネル２を垂直状に立設させると、座標入力面２ａが裏面側になるが、透明タッチパネル２を矢印Ａ方向、あるいは矢印Ｂ方向に回転させることで、座標入力面２ａが操作者側に向いて、図４に示すように透明タッチパネル２を矢印Ｄ方向に傾倒させることで、操作者が電子機器を携帯した状態で座標入力面２ａから座標入力できるようになっている。
【図面の簡単な説明】
【００２６】
【図１】本発明の座標入力装置の斜視図である。
【図２】本発明に係わる透明タッチパネルを立設した斜視図である。
【図３】本発明に係わる透明タッチパネルの回転操作を説明する斜視図である。
【図４】本発明に係わる透明タッチパネルを反対側に倒した斜視図である。
【図５】本発明の座標入力装置の分解斜視図である。
【図６】従来の座標入力装置の図である。
【符号の説明】
【００２７】
１  本発明の座標入力装置
２  透明タッチパネル
２ａ  座標入力面
２ｂ  １辺
２ｃ  回転軸
３  枠体
４  パネル支持部材
４ａ  第１回動部材
４ｂ  第２回動部材
４ｃ  連結軸
４ｄ  バネ支持部
４ｅ  バネ収納孔
５  ボール受け板
５ａ  支持孔
５ｂ  ボール当接部
６  支持基材
７  第支持部材
７ａ  凹部
７ｂ  軸受け部
７ｃ  貫通孔
８  第２支持部材
８ａ  凹部
８ｂ  軸受け部
【図１】
2006293626.tif 000003
【図２】
2006293626.tif 000004
【図３】
2006293626.tif 000005
【図４】
2006293626.tif 000006
【図５】
2006293626.tif 000007
【図６】
2006293626.tif 000008